(57)【要約】      （修正有）【課題】夏期あるいは冬期においての太陽の日中での高さ位置の変動に合わせて太陽電池パネルの傾斜角度を自由に変えることができる太陽電池パネルの架台構造を提供する。【解決手段】太陽電池パネルＰを揺動可能に取り付ける中央支承部２を備えた架台１と、太陽電池パネルＰの端部から架台１に架け渡した伸縮機構６，７とを備える。伸縮機構６，７の伸縮調整で架台１に対する太陽電池パネルＰの傾斜角度を任意角度に調整可能にする。伸縮機構６，７は、太陽電池パネルＰの上端部から架台１に架け渡した上端側伸縮機構６と、太陽電池パネルＰの下端部から架台１に架け渡した下端側伸縮機構７とを備える。伸縮機構６，７は、太陽電池パネルＰの端部に揺動可能に取り付けた支持アーム体８と、架台１に揺動可能に取り付けて、支持アーム体８にスライド調整手段１０で長さ調整するように装着したスライド調整アーム体９とから成る。【選択図】図３
0003153925.tif 000002
【実用新案登録請求の範囲】
【請求項１】
屋根または地上に設置される太陽電池パネルの架台構造であって、太陽電池パネルが揺動可能に取り付けられる中央支承部を備えた架台と、太陽電池パネルの端部から架台に架け渡された伸縮機構とを備え、該伸縮機構の伸縮調整によって架台に対する太陽電池パネルの傾斜角度を任意の角度に調整可能としたことを特徴とする太陽電池パネルの架台構造。
【請求項２】
伸縮機構は、太陽電池パネルの上端側から架台に架け渡される上端側伸縮機構と、太陽電池パネルの下端側から架台に架け渡される下端側伸縮機構とを備えて成る請求項１記載の太陽電池パネルの架台構造。
【請求項３】
伸縮機構は、太陽電池パネルの端部に揺動可能に取り付けられた支持アーム体と、架台に揺動可能に取り付けられたスライド調整アーム体とを備え、該スライド調整アーム体は、支持アーム体に装着され、スライド調整手段によって任意の長さに調整可能とした請求項１または２記載の太陽電池パネルの架台構造。
【請求項４】
スライド調整手段は、支持アーム体とスライド調整アーム体とが締結手段で締結可能となるよう、支持アーム体の端側に対向貫設された支持アーム側ボルト挿入孔と、該支持アーム側ボルト挿入孔に対応すべくスライド調整アーム体に任意の間隔毎に対向貫設された複数の調整アーム側ボルト挿入孔とを備えて成る請求項３記載の太陽電池パネルの架台構造。
【請求項５】
スライド調整手段は、締結手段の締結力でスライド調整アーム体が支持アーム体によって挟持固定されるよう、支持アーム体の端側に対向貫設された支持アーム側ボルト挿入孔と、該支持アーム側ボルト挿入孔に対応すべくスライド調整アーム体の長手方向に沿って任意の長さに対向穿設された調整アーム側ボルト挿入長孔とを備えて成る請求項３記載の太陽電池パネルの架台構造。
【考案の詳細な説明】
【技術分野】
【０００１】
本考案は、屋根または地上等に複数並べて設置される太陽電池パネルの傾斜角度を、季節によって変動する太陽高さ位置に対応して任意の角度に調整変更可能とした太陽電池パネルの架台構造に関する。
【背景技術】
【０００２】
近年、クリーンエネルギーといわれる太陽光発電に使用される太陽電池パネルを複数並べた屋根設置型または地上設置型等の太陽光発電システムが注目されてきている。すなわち、太陽光発電システムは、太陽電池パネルを太陽の方向に向けることで太陽エネルギーを受光し、当該太陽電池パネルから得られる直流を交流に変換するＤＣ／ＡＣ変換装置を設けることにより電力が得られるように構成されている。
【０００３】
このための従来における太陽電池パネルの取り付けは、鋼材を組合せたトラスフレームを基礎に取付けた支持構造物や、傾斜したコンクリートブロックに太陽電池パネルを取付ける支持構造物等が提案されていた。
【０００４】
例えば、特許文献１に開示されているように、道路標識や視線誘導標等を固定する支柱上端への傾斜パネルの取付構造が存在する。この傾斜パネルの取付構造は、道路周辺に設置されている支柱上端に差し込まれる取付用角形管を備え、該取付用角形管の一方の端部に傾斜面が形成され、該傾斜面に太陽電池パネルがビス等の締結手段によって固定されるものとしている。
【０００５】
また、特許文献２に開示されているように、浄水場や下水処理場等の屋外に設置する太陽電池付貯水槽が存在する。この太陽電池貯水槽は、貯水槽の周囲に、鉄骨フレームに鋼板またはガラス板を貼り付けた壁面が立設され、該壁面上には、太陽光を効率良く受光するために南側に傾斜して成る屋根部が設置され、該屋根部に太陽電池パネルが貼り付けられたものとしている。
【０００６】
また、特許文献３に開示されているように、太陽電池パネルを複数並べて取付けることができる太陽電池パネル支持構造および太陽光発電システムが存在する。この支持構造およびシステムは、施工地に所定間隔で立設した複数の架台と、架台間に掛け渡した支持材と、支持材に設けた太陽電池パネルを取付ける太陽電池パネル取付部とを備え、架台は上面全部または一部を所定の傾斜角で傾斜させ、この傾斜面に支持材を取り付けて太陽電池パネルを傾斜状態で支持するものとしている。
【先行技術文献】
【特許文献】
【０００７】
【特許文献１】特開２００４−２５１０３５号公報
【特許文献２】特開２００５−２３２８４３号公報
【特許文献３】特開２００７−３５８４９号公報
【考案の概要】
【考案が解決しようとする課題】
【０００８】
しかしながら、従来においては、特許文献１による傾斜パネルの取付構造の場合、取付用角形管に形成された傾斜面に太陽電池パネルがビス等の締結手段によって固定されるとしているため、夏期あるいは冬期においての太陽の日中での高さ位置の変動に合わせて太陽電池パネルの傾斜角度を変える場合には、取付用角形管自体を長さの異なるものに交換しなければ、太陽電池パネルの傾斜角度を変えることができない。
【０００９】
また、特許文献２による太陽電池付貯水槽の場合、太陽光を効率良く受光するよう南側に傾斜して成る屋根部に太陽電池パネルが貼り付けられるため、夏期あるいは冬期においての太陽の日中での高さ位置の変動に合わせて太陽電池パネルの傾斜角度を変える場合には、傾斜角度の異なる屋根部に交換しなければならず、その手間は極めて面倒である。
【００１０】
また、特許文献３による太陽電池パネル支持構造およびシステムの場合、架台の傾斜面に支持材を介して太陽電池パネルを傾斜状態で支持しているため、太陽電池パネルの傾斜角度を変えるには、傾斜角度の異なる架台を別に用意し、これらに交換しなければならず、また、一時的にでも使用しない架台の保管等を要する。
【００１１】
このように夏期あるいは冬期等の季節に異なっている太陽の日中での高さ位置の変動に合わせて太陽電池パネルの傾斜角度を自由に変えることができないから、太陽エネルギーの受光量が減少して発電効率が悪くなってしまう。しかも、冬期における積雪量が多い地域では、上記した従来技術のように若干の傾きを有しながらも殆ど寝かせた状態にある太陽電池パネルでは、当該太陽電池パネル上面に雪が降り積もって遮光されてしまうことにより発電効率が悪くなるという問題点を有していた。
【００１２】
そこで、本考案は叙上のような従来存した諸事情に鑑み創案されたもので、夏期あるいは冬期等の各季節においての太陽の日中での高さ位置の変動に合わせて太陽電池パネルの傾斜角度を自由に変えられるようにすることで、太陽エネルギーの受光量を大きくすることができ、これによって良好な発電効率が得られるようにした太陽電池パネルの架台構造を提供することを目的とする。
【課題を解決するための手段】
【００１３】
上述した課題を解決するために、本考案にあっては、屋根または地上に設置される太陽電池パネルＰの架台構造であって、太陽電池パネルＰの略中央部分が揺動可能に取り付けられる中央支承部２を備えた架台１と、太陽電池パネルＰの端部から架台１に架け渡された伸縮機構（６，７）とを備え、該伸縮機構（６，７）の伸縮調整によって架台１に対する太陽電池パネルＰの傾斜角度を任意の角度に調整可能としたものである。
伸縮機構（６，７）は、太陽電池パネルＰの上端側から架台１に架け渡される上端側伸縮機構６と、太陽電池パネルＰの下端側から架台１に架け渡される下端側伸縮機構７とを備えて成るものとできる。
伸縮機構（６，７）は、太陽電池パネルＰの端部に揺動可能に取り付けられた支持アーム体８と、架台１に揺動可能に取り付けられたスライド調整アーム体９とを備え、該スライド調整アーム体９は、支持アーム体８に装着され、スライド調整手段１０によって任意の長さに調整可能とした構成とすることができる。
スライド調整手段１０は、支持アーム体８とスライド調整アーム体９とが締結手段（１９，２０）で締結可能となるよう、支持アーム体８の端側に対向貫設された支持アーム側ボルト挿入孔１１と、該支持アーム側ボルト挿入孔１１に対応すべくスライド調整アーム体９に任意の間隔毎に対向貫設された複数の調整アーム側ボルト挿入孔１２とを備えて成るものとすることができる。
スライド調整手段１０は、締結手段（１９，２０）の締結力でスライド調整アーム体９が支持アーム体８によって挟持固定されるよう、支持アーム体８の端側に対向貫設された支持アーム側ボルト挿入孔１１と、該支持アーム側ボルト挿入孔１１に対応すべくスライド調整アーム体９の長手方向に沿って任意の長さに対向穿設された調整アーム側ボルト挿入長孔１３とを備えて成るものとすることができる。
【００１４】
以上のように構成された本考案に係る太陽電池パネルの架台構造にあって、架台１は、伸縮機構（６，７）の伸縮調整によって太陽電池パネルＰの傾斜角度を任意の角度に調整させる。
すなわち、伸縮機構（６，７）は、上端側伸縮機構６を伸長させ、下端側伸縮機構７を縮小させることで、太陽電池パネルＰを中央支承部２を支点にして起立方向に揺動させるものとなり、これによって例えば冬期における日中での低い位置にある太陽に向けて太陽電池パネルＰを対向させる。
また、伸縮機構（６，７）は、上端側伸縮機構６を縮小させ、下端側伸縮機構７を伸長させることで、太陽電池パネルＰを中央支承部２を支点にして倒伏方向に揺動させるものとなり、これによって例えば夏期における日中での高い位置にある太陽に向けて太陽電池パネルＰを対向させる。
さらに、スライド調整手段１０は、支持アーム体８に挿入されているスライド調整アーム体９を当該支持アーム体８から引き出したり、当該支持アーム体８に押し込んだりすることで、伸縮機構（６，７）自体を任意の長さに調整させる。
このとき、支持アーム側ボルト挿入孔１１に任意の調整アーム側ボルト挿入孔１２を合致させるか、あるいは調整アーム側ボルト挿入長孔１３に沿って支持アーム側ボルト挿入孔１１を相対スライドさせるかしてから、締結手段（１９，２０）として例えば両孔にボルト１９を貫挿し、反対側からナット２０で締結させることで、伸縮機構（６，７）自体を任意の長さに固定させる。
【考案の効果】
【００１５】
本考案によれば、夏期あるいは冬期等の各季節においての太陽の日中での高さ位置の変動に合わせて太陽電池パネルＰの傾斜角度を自由に変えられることで、太陽エネルギーの受光量を大きくすることができ、これによって夏期、冬期のいずれであっても良好な発電効率が得られる。しかも、冬期での積雪量の多い積雪地域においては、日中での低い位置にある太陽に向けるように太陽電池パネルＰを起立方向に揺動させることによって、太陽電池パネルＰ全面への雪の堆積が未然に防止される。
【００１６】
すなわち、これは本考案が、太陽電池パネルＰの略中央部分が揺動可能に取り付けられる中央支承部２を備えた架台１と、太陽電池パネルＰの端部から架台１に架け渡された伸縮機構（６，７）とを備え、該伸縮機構（６，７）の伸縮調整によって架台１に対する太陽電池パネルＰの傾斜角度を任意の角度に調整可能としたからであり、これにより、特に太陽の高さ位置が季節によって変動する範囲が大きい北方地帯において、それに対応できることで極めて便利である。
【００１７】
また、伸縮機構（６，７）は、太陽電池パネルＰの上端側から架台１に架け渡される上端側伸縮機構６と、太陽電池パネルＰの下端側から架台１に架け渡される下端側伸縮機構７とを備えて成るので、上端側伸縮機構６を伸長させ、下端側伸縮機構７を縮小させることで、太陽電池パネルＰを中央支承部２を支点にして起立方向に容易に揺動させることができ、これによって冬期における例えば日中での低い位置にある太陽に向けて太陽電池パネルＰを確実に対向配置させることができる。また、上端側伸縮機構６を縮小させ、下端側伸縮機構７を伸長させることで、太陽電池パネルＰを中央支承部２を支点にして倒伏方向に容易に揺動させることができ、これによって夏期における例えば日中での高い位置にある太陽に向けて太陽電池パネルＰを確実に対向配置させることができる。
【００１８】
そして、伸縮機構（６，７）は、太陽電池パネルＰの端部に揺動可能に取り付けられた支持アーム体８と、架台１に揺動可能に取り付けられたスライド調整アーム体９とを備え、該スライド調整アーム体９は、支持アーム体８に装着され、スライド調整手段１０によって任意の長さに調整可能としたので、支持アーム体８に装着されているスライド調整アーム体９を当該支持アーム体８から引き出したり、当該支持アーム体８に押し込んだりすることで、伸縮機構（６，７）自体を任意の長さに調整することができ、これによって夏期あるいは冬期においての太陽の日中での高さ位置の変動に合わせて太陽電池パネルＰの傾斜角度を自由に変えられる。
【００１９】
さらに、スライド調整手段１０は、支持アーム体８とスライド調整アーム体９とが締結手段（１９，２０）で締結可能となるよう、支持アーム体８の開口端側に対向貫設された支持アーム側ボルト挿入孔１１と、該支持アーム側ボルト挿入孔１１に対応すべくスライド調整アーム体９に任意の間隔毎に対向貫設された複数の調整アーム側ボルト挿入孔１２とを備えて成るので、支持アーム側ボルト挿入孔１１に任意の調整アーム側ボルト挿入孔１２を合致させ、締結手段（１９，２０）として例えば両孔にボルト１９を貫挿し、反対側からナット２０で締結させることで、伸縮機構（６，７）自体を任意の長さで確実に固定させることができる。
【００２０】
あるいは、スライド調整手段１０は、締結手段（１９，２０）の締結力でスライド調整アーム体９が支持アーム体８によって挟持固定されるよう、支持アーム体８の端側に対向貫設された支持アーム側ボルト挿入孔１１と、該支持アーム側ボルト挿入孔１１に対応すべくスライド調整アーム体９の長手方向に沿って任意の長さに対向穿設された調整アーム側ボルト挿入長孔１３とを備えて成るので、締結手段（１９，２０）の締結力を緩めてから、調整アーム側ボルト挿入長孔１３に沿って支持アーム側ボルト挿入孔１１を相対スライドさせ、締結手段（１９，２０）の締結力を強めることで、伸縮機構（６，７）自体を任意の長さで容易に固定させることができる。
【００２１】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００２２】
【図１】本考案を実施するための一形態における架台の使用状態を示す側面図である。
【図２】同じく架台の使用状態を示す平面図である。
【図３】同じく架台の伸縮機構による動作を説明する側面図である。
【図４】同じく伸縮機構の一例を示すもので、（ａ）は図３におけるＡ部の要部断面図、（ｂ）は図３におけるＢ部およびＣ部の一部省略断面図である。
【図５】同じく伸縮機構のスライド調整手段の具体例を示すもので、（ａ）は伸縮機構を締結手段で締結させる状態の要部斜視図、（ｂ）は他のスライド調整手段による伸縮機構を締結手段で締結させる状態の要部斜視図である。
【考案を実施するための形態】
【００２３】
以下、図面を参照して本考案の実施の形態を詳細に説明すると、図において示される符号１は、太陽電池パネルＰの傾斜角度を任意の角度に調整変更可能となるように支持するための架台である。該架台１は、図１および図２に示すように、例えば自動車Ｑを格納するカーポートＲの屋根デッキプレートＳ上に所定間隔で複数個設置される太陽電池パネルＰが、複数並べて支持できるように構成してある。また、太陽電池パネルＰは、保持枠部４の内側に複数セットを連続して配置し、太陽電池パネルＰから得られる直流を交流に変換するＤＣ／ＡＣ変換装置を設けることにより、太陽光発電システムを構成している。
【００２４】
尚、本実施の形態では、自動車Ｑを格納するためのカーポートＲにおいて太陽電池パネルＰの架台構造を適用しているが、本考案はこれに何等限定されず、一般家屋、ビルその他の建築物の屋根上あるいは地上等に本考案に係る太陽電池パネルＰの架台構造を適用しても良いことは勿論である。また、架台１の材料としては、例えば山形鋼・Ｉ形鋼・Ｈ形鋼等の形鋼や、角形・丸形等の鋼管・パイプ材等を採用しても良く、その素材も特に限定されない。
【００２５】
架台１は、図３に示すように、長尺な底フレーム１ａ、短尺な垂直フレーム１ｂ、傾斜フレーム１ｃそれぞれによって全体が側面からみて略直角三角形となって枠組み形成されて成り、底フレーム１ａ側が屋根デッキプレートＳ上に例えばボルト・ナット等の締結手段等によって締着されている。
【００２６】
垂直フレーム１ｂと傾斜フレーム１ｃとが交差する頂部には、太陽電池パネルＰが前後・上下方向に揺動可能となるように取り付けられる中央支承部２を備えている。すなわち、中央支承部２の具体的な構成としては、図４（ａ）に示すように、架台１の垂直フレーム１ｂと傾斜フレーム１ｃとが交差する頂部に左右一対の起立フランジによるブラケット３を突設し、該ブラケット３の略中央にはボルト挿入孔が穿設されている。一方、太陽電池パネルＰが内側に組み込まれて成る保持枠部４の左右両側の略中央には、角筒体５の一端が例えば溶接等によって固着されており、角筒体５の左右側面にはボルト挿入孔が穿設されている。そして、ブラケット３の左右一対の起立フランジの間に角筒体５が挿入され、該角筒体５とブラケット３それぞれのボルト挿入孔を合致させた状態で、一端側から締結手段（１９．２０）である例えばボルト１９を挿入し反対側からナット２０をねじ込み締結することで架台１に対し太陽電池パネルＰが前後・上下方向に揺動可能となるようにしている。
【００２７】
また、太陽電池パネルＰの上端部には例えば共に丸パイプ材等の管材を使用した支持アーム体８とスライド調整アーム体９とから成る上端側伸縮機構６が架台１との間に架け渡すようにして設けられ、これに対応して、太陽電池パネルＰの下端部には支持アーム体８とスライド調整アーム体９とから成る下端側伸縮機構７が架台１との間に架け渡すようにして設けられている。そして、両伸縮機構（６，７）の伸縮調整によって架台１に対する太陽電池パネルＰの傾斜角度を、冬期または夏期における日中での太陽の高さ位置に応じて、例えば１５°から６５°の範囲内（図３参照）の任意の角度に調整して適宜変更できるようにしてある。
【００２８】
尚、本実施の形態では、太陽電池パネルＰと架台１との間に上端側伸縮機構６および下端側伸縮機構７の２つの機構が備え付けられているが、上端側伸縮機構６または下端側伸縮機構７のいずれか１つの機構のみを採用しても良い。また、支持アーム体８およびスライド調整アーム体９は、丸パイプ材等の鋼管・管材等を使用する替わりに、例えば角形パイプ材、コ字型フレーム材、アングル材等の鋼材を採用しても良い。
【００２９】
すなわち、両伸縮機構（６，７）の具体的な構成としては、図４（ｂ）に示すように、太陽電池パネルＰの保持枠部４の側部上端および側部下端に、中央にボルト挿入孔が穿設された間隔の狭い左右一対の起立フランジによるパネル側ブラケット１５を突設してある。そして、パネル側ブラケット１５の起立フランジ相互間には、有底の支持アーム体８の底部下面に突設され且つ中央にボルト挿入孔が穿設された薄板状の支持アーム側支持片部１６が挿入され、該支持アーム側支持片部１６とパネル側ブラケット１５それぞれのボルト挿入孔を合致させた状態で、一側面から締結手段（１９．２０）である例えばボルト１９を挿入し、反対側面からナット２０をねじ込み締結することで太陽電池パネルＰに対し支持アーム体８が上下方向に揺動可能となるようにしている。
【００３０】
一方、架台１の傾斜フレーム１ｃおよび垂直フレーム１ｂには、太陽電池パネルＰの保持枠部４の側部上端および側部下端の各パネル側ブラケット１５に対応して、中央にボルト挿入孔が穿設された間隔の狭い左右一対の起立フランジによる架台側ブラケット１７を突設してある。そして、架台側ブラケット１７の起立フランジ相互間には、スライド調整アーム体９の底部下面に突設され且つ中央にボルト挿入孔が穿設された薄板状のアーム体側支持片部１８が挿入され、該アーム体側支持片部１８と架台側ブラケット１７それぞれのボルト挿入孔を合致させた状態で、一側面から締結手段（１９．２０）である例えばボルト１９を挿入し、反対側面からナット２０をねじ込み締結することで太陽電池パネルＰに対しスライド調整アーム体９が上下方向に揺動可能となるようにしている。
【００３１】
また、スライド調整アーム体９は、その開口端側が支持アーム体８の開口端側に装着され、スライド調整手段１０によって任意の位置で固定可能となるようにしている。すなわち、スライド調整手段１０は、図５（ａ）に示すように、支持アーム体８の開口端側に支持アーム側ボルト挿入孔１１が対向して貫設されていると共に、該支持アーム側ボルト挿入孔１１に対応すべくスライド調整アーム体９にはその長手方向に沿って任意の間隔毎に調整アーム側ボルト挿入孔１２が対向して貫設されている。そして、長手方向に沿って形成された複数の調整アーム側ボルト挿入孔１２のうち任意の調整アーム側ボルト挿入孔１２を支持アーム側ボルト挿入孔１１に合致させた状態で、一側面から締結手段（１９．２０）である例えばボルト１９を挿入し、反対側面からナット２０をねじ込み締結することで形成してある。
【００３２】
太陽電池パネルＰの傾斜角度調整時には、締結手段（１９，２０）を一旦取り外して、支持アーム体８に対してスライド調整アーム体９をスライドさせ、長手方向に沿って形成された複数の調整アーム側ボルト挿入孔１２のうち、所定の調整アーム側ボルト挿入孔１２を支持アーム側ボルト挿入孔１１に合致させた状態で、一側面から締結手段（１９．２０）である例えばボルト１９を挿入し、反対側面からナット２０をねじ込み締結することで架台１に対する太陽電池パネルＰの傾斜角度を任意の角度に設定変更できるようにしている。
【００３３】
また、他のスライド調整手段１０の構成としては、図５（ｂ）に示すように、支持アーム体８の開口端側に支持アーム側ボルト挿入孔１１が対向して貫設されると共に、該支持アーム側ボルト挿入孔１１に対応すべくスライド調整アーム体９にはその長手方向に沿って任意の長さの調整アーム側ボルト挿入長孔１３が対向して穿設される。そして、長手方向に沿って形成された調整アーム側ボルト挿入長孔１３の任意の位置を支持アーム側ボルト挿入孔１１に合致させた状態で、一側面から締結手段（１９．２０）である例えばボルト１９を挿入し、反対側面からナット２０をねじ込み締結することでスライド調整アーム体９は支持アーム体８によって挟持固定されるようにしてある。このとき、支持アーム体８の開口端側には、両支持アーム側ボルト挿入孔１１とは別に一対のスリット部１４が対向穿設されており、当該支持アーム体８を締結手段（１９，２０）による締結力によって圧縮しやすいようにしてある。
【００３４】
太陽電池パネルＰの傾斜角度調整時には、締結手段（１９，２０）による締結力を一旦緩めておき、支持アーム体８に対してスライド調整アーム体９をスライドさせ、長手方向に沿って形成された調整アーム側ボルト挿入長孔１３の所定の位置を支持アーム側ボルト挿入孔１１に合致させた状態で、締結手段（１９，２０）による締結力を強めることでスライド調整アーム体９は支持アーム体８によって挟持固定され、これにより架台１に対する太陽電池パネルＰの傾斜角度を任意の角度に設定変更される。
【００３５】
次に、以上のように構成された形態についての使用、動作の一例について説明すると、先ず、例えば冬期における日中での太陽が低い位置にある場合には、上端側伸縮機構６を伸長させ、下端側伸縮機構７を縮小させることで、太陽電池パネルＰを中央支承部２を支点にして、例えば傾斜角度６５°等となるよう起立方向に揺動させる（図３参照）。
【００３６】
一方、例えば夏期における日中での太陽が高い位置にある場合には、上端側伸縮機構６を縮小させ、下端側伸縮機構７を伸長させることで、太陽電池パネルＰを中央支承部２を支点にして、例えば傾斜角度１５°等となるよう倒伏方向に揺動させる（図３参照）。
【００３７】
また、春期、秋期等では、その傾斜角度を太陽の高さに合わせて所定の角度、例えば３０°、４５°等に設定すれば良く、必要があれば、支持アーム体８、スライド調整アーム体９それぞれにおける支持アーム側ボルト挿入孔１１、調整アーム側ボルト挿入孔１２、調整アーム側ボルト挿入長孔１３において、それらの傾斜角度位置となる目盛り等を表示しておいても良い。尚、この目盛り等は、角度表示のものとしたり、異なる季節によっての角度調整位置を示す季節・月等表示のものとしたりしても良い。
【００３８】
このような両伸縮機構６，７においての伸縮調整は、図５（ａ）に示すように、両伸縮機構の締結手段（１９，２０）を一旦は取り外して、支持アーム体８に対してスライド調整アーム体９をスライドさせ、長手方向に沿って形成された複数の調整アーム側ボルト挿入孔１２のうち、所定の調整アーム側ボルト挿入孔１２を支持アーム側ボルト挿入孔１１に合致させた状態で、一側面から締結手段（１９．２０）である例えばボルト１９を挿入し、反対側面からナット２０をねじ込み締結する。これによって冬期または夏期における日中での太陽の位置に向くような所定の傾斜角度に設定された太陽電池パネルＰが配置される。
【００３９】
あるいは、図５（ｂ）に示すように、締結手段（１９，２０）による締結力を一旦緩めておき、支持アーム体８に対してスライド調整アーム体９をスライドさせ、長手方向に沿って形成された調整アーム側ボルト挿入長孔１３の所定の位置を支持アーム側ボルト挿入孔１１に合致させた状態で、締結手段（１９，２０）による締結力を強めることでスライド調整アーム体９は支持アーム体８によって挟持固定される。これによって冬期または夏期における日中での太陽の高さ位置に合わせて太陽電池パネルＰが当該太陽に対向配置される。
【符号の説明】
【００４０】
Ｐ…太陽電池パネル                      Ｑ…自動車
Ｒ…カーポート                          Ｓ…屋根デッキプレート
１…架台                                １ａ…底フレーム
１ｂ…垂直フレーム                      １ｃ…傾斜フレーム
２…中央支承部                          ３…ブラケット
４…保持枠部                            ５…角筒体
６…上端側伸縮機構                      ７…下端側伸縮機構
８…支持アーム体                        ９…スライド調整アーム体
１０…スライド調整手段                  １１…支持アーム側ボルト挿入孔
１２…調整アーム側ボルト挿入孔          １３…調整アーム側ボルト挿入長孔
１４…スリット部                        １５…パネル側ブラケット
１６…支持アーム側支持片部              １７…架台側ブラケット
１８…アーム体側支持片部                １９…ボルト（締結手段）
２０…ナット（締結手段）
【図１】
0003153925.tif 000003
【図２】
0003153925.tif 000004
【図３】
0003153925.tif 000005
【図４】
0003153925.tif 000006
【図５】
0003153925.tif 000007